(57)【要約】    【課題】      贈答相手を考慮して商品の情報を表示することにより、贈答相手毎に贈答品として最も適切な商品を容易に選択すること。    【解決手段】  商品情報受信部１０３は、受信信号より属性情報を含む商品情報を抽出し、これにより、属性情報に含まれる受取人情報、商品分野情報及び適切度情報を得ることができる。記憶部１０４は、「誕生日」、「性別」及び「年齢」等のあらかじめ決められている贈答相手の特徴を示す情報である人物情報を記憶している。商品情報選択部１０５は、受取人情報の受取人の特徴の中に人物情報における贈答相手の特徴で該当するものがあるか否かを判定して、受取人情報の中に該当する特徴がある場合には、該当する受取人情報を含む商品情報が先頭になるように商品情報を並べる。データ表示部１０６は、商品情報を並べられた順番にて表示する。  【選択図】      図１
2005222253.tif 000002
【特許請求の範囲】
【請求項１】
あらかじめ決められた贈答相手の特徴を示す情報である人物情報を記憶する人物情報記憶手段と、
贈答品を受け取ると想定される受取人の特徴を示す情報である受取人情報と前記受取人情報を含む前記贈答品の情報である商品情報とを受信する受信手段と、
特徴が前記贈答相手と一致する受取人の前記受取人情報を含む前記商品情報が先頭になるように前記受信手段にて受信した前記商品情報を並べる商品情報選択手段と、
前記商品情報選択手段にて並べられた順番に前記商品情報を表示する表示手段と、
を具備することを特徴とする端末装置。
【請求項２】
現在の日時を計測する計測手段と、
前記人物情報記憶手段に前記人物情報として記憶されている特定の日時から前記計測手段にて計測された現在の日時を減算した結果がしきい値以下である前記贈答相手を選択するイベント決定手段とを具備し、
前記商品情報選択手段は、前記イベント決定手段にて選択された前記贈答相手の特徴と一致する特徴の受取人の前記受取人情報を含む前記商品情報が先頭になるように、前記受信手段にて受信した前記商品情報を並べることを特徴とする請求項１記載の端末装置。
【請求項３】
前記商品情報選択手段は、通信頻度がしきい値以上である前記贈答相手の前記商品情報が先頭になるように、前記受信手段にて受信した前記商品情報を並べることを特徴とする請求項１または請求項２記載の端末装置。
【請求項４】
あらかじめ決められた贈答相手の特徴を示す情報である人物情報を記憶する人物情報記憶手段と、
贈答品を受け取ると想定される受取人の特徴を示す情報である受取人情報と前記受取人情報を含む前記贈答品の情報である商品情報とを受信する受信手段と、
前記贈答相手の特徴と前記受取人の特徴とが一致するか否かを判定するとともに一致する判定の結果が得られた場合には特徴が前記贈答相手と一致する受取人の前記受取人情報を含む前記商品情報を選択する商品情報選択手段と、
特徴が一致する場合の前記判定の結果を含めて前記商品情報選択手段にて選択された前記商品情報を表示する表示手段と、
を具備することを特徴とする端末装置。
【請求項５】
現在の日時を計測する計測手段と、
前記人物情報記憶手段に前記人物情報として記憶されている特定の日時から前記計測手段にて計測された現在の日時を減算した結果がしきい値以下である前記贈答相手を選択するイベント決定手段とを具備し、
前記表示手段は、前記イベント決定手段にて選択された前記贈答相手の特徴が前記受取人の特徴と一致する場合の前記判定の結果を含めて、前記商品情報選択手段にて選択された前記商品情報を表示することを特徴とする請求項４記載の端末装置。
【請求項６】
前記表示手段は、通信頻度がしきい値以上である前記贈答相手の特徴が前記受取人の特徴と一致する場合の前記判定の結果を含めて、前記商品情報選択手段にて選択された前記商品情報を表示することを特徴とする請求項４または請求項５記載の端末装置。
【請求項７】
前記商品情報選択手段にて選択された前記商品情報の前記贈答品における前記特定の日時より前の購入期限日を記憶するスケジュール記憶手段を具備し、
前記表示手段は、前記スケジュール記憶手段にて記憶されている前記購入期限日を前記購入期限日まで表示することを特徴とする請求項２または請求項５記載の端末装置。
【請求項８】
請求項１から請求項７のいずれかに記載の端末装置に前記商品情報を送信する配信サーバーであって、
前記配信サーバーは、
前記受取人情報を含む前記商品情報を生成する商品情報生成手段と、
前記商品情報生成手段にて生成された前記商品情報を送信する送信手段と、
を具備することを特徴とする配信サーバー。
【請求項９】
あらかじめ決められた贈答相手の特徴を示す情報である人物情報を記憶するステップと、
贈答品を受け取ると想定される受取人の特徴を示す情報である受取人情報と前記受取人情報を含む前記贈答品の情報である商品情報とを受信するステップと、
特徴が前記贈答相手と一致する受取人の前記受取人情報を含む前記商品情報が先頭になるように受信した前記商品情報を並べるステップと、
並べられた順番に前記商品情報を表示するステップと、
を具備することを特徴とする受信データ表示方法。
【請求項１０】
現在の日時を計測するステップと、
前記人物情報として記憶されている特定の日時から計測された現在の日時を減算した結果がしきい値以下である前記贈答相手を選択するステップとを具備し、
選択された前記贈答相手の特徴と一致する特徴の受取人の前記受取人情報を含む前記商品情報が先頭になるように、受信した前記商品情報を並べることを特徴とする請求項９記載の受信データ表示方法。
【請求項１１】
通信頻度がしきい値以上である前記贈答相手の前記商品情報が先頭になるように、受信した前記商品情報を並べることを特徴とする請求項９または請求項１０記載の受信データ表示方法。
【請求項１２】
あらかじめ決められた贈答相手の特徴を示す情報である人物情報を記憶するステップと、
贈答品を受け取ると想定される受取人の特徴を示す情報である受取人情報と前記受取人情報を含む前記贈答品の情報である商品情報とを受信するステップと、
前記贈答相手の特徴と前記受取人の特徴とが一致するか否かを判定するとともに一致する判定の結果が得られた場合には特徴が前記贈答相手と一致する受取人の前記受取人情報を含む前記商品情報を選択するステップと、
特徴が一致する場合の前記判定の結果を含めて選択された前記商品情報を表示するステップと、
を具備することを特徴とする受信データ表示方法。
【請求項１３】
現在の日時を計測するステップと、
前記人物情報として記憶されている特定の日時から計測された現在の日時を減算した結果がしきい値以下である前記贈答相手を選択するステップとを具備し、
選択された前記贈答相手の特徴が前記受取人の特徴と一致する場合の前記判定の結果を含めて、選択された前記商品情報を表示することを特徴とする請求項１２記載の受信データ表示方法。
【請求項１４】
通信頻度がしきい値以上である前記贈答相手の特徴が前記受取人の特徴と一致する場合の前記判定の結果を含めて、選択された前記商品情報を表示することを特徴とする請求項１２または請求項１３記載の受信データ表示方法。
【請求項１５】
選択された前記商品情報の前記贈答品における前記特定の日時より前の購入期限日を記憶するステップを具備し、
記憶されている前記購入期限日を前記購入期限日まで表示することを特徴とする請求項１０または請求項１３記載の受信データ表示方法。
【発明の詳細な説明】
【技術分野】
【０００１】
本発明は、端末装置及び受信データ表示方法に関し、例えば配信サーバーから送信された配信データを受信する端末装置及び受信データ表示方法に関する。
【背景技術】
【０００２】
第３世代移動通信システムにおいて、複数の携帯電話に同時に配信データを送信する放送サービスが知られている（例えば、特許文献１）。
【０００３】
従来の放送サービスにおいて、ユーザは、ＧＰＳ等により測定した自分の位置の情報をサーバーに送信し、ユーザの位置の情報を受信したサーバーは、ユーザの位置に即したコンテンツを選択してユーザの端末装置へ送信するものである。このように従来の放送サービスは、サーバーにてコンテンツを編集するものである。
【特許文献１】特開２０００−２２２３３１号公報
【発明の開示】
【発明が解決しようとする課題】
【０００４】
しかしながら、従来の端末装置及び受信データ表示方法においては、サーバーがユーザの位置情報を参照してユーザの現在地の近辺のお店の情報をユーザに配信するようなサービスであり、自分自身が購入するための商品の情報が配信されるサービスはあるものの、贈答を考慮した商品の情報がユーザに配信されるサービスは存在していない。そのため、放送サービスを用いて贈答品を選択する際には、知人等のために適切な贈答品を選択することが困難であるという問題がある。さらに、従来の端末装置及び受信データ表示方法においては、知人の嗜好等を忘れてしまった場合、または贈答品購入時に知人の嗜好等をメモした紙を持っていない場合には、知人への贈答品として不適切な商品を購入してしまう可能性があるという問題がある。
【０００５】
本発明はかかる点に鑑みてなされたものであり、贈答相手を考慮して商品の情報を表示することにより、贈答相手毎に贈答品として最も適切な商品を容易に選択することができる端末装置及び受信データ表示方法を提供することを目的とする。
【課題を解決するための手段】
【０００６】
本発明の端末装置は、あらかじめ決められた贈答相手の特徴を示す情報である人物情報を記憶する人物情報記憶手段と、贈答品を受け取ると想定される受取人の特徴を示す情報である受取人情報と前記受取人情報を含む前記贈答品の情報である商品情報とを受信する受信手段と、特徴が前記贈答相手と一致する受取人の前記受取人情報を含む前記商品情報が先頭になるように前記受信手段にて受信した前記商品情報を並べる商品情報選択手段と、前記商品情報選択手段にて並べられた順番に前記商品情報を表示する表示手段と、を具備する構成を採る。
【０００７】
この構成によれば、特徴が贈答相手と一致する受取人の受取人情報を含む商品情報が先頭になるように商品情報を並べて表示することにより、端末装置のユーザは表示された商品情報を先頭から順番に見て気に入った商品を贈答品として選択することができるので、贈答相手毎に贈答品として最も適切な商品を容易に選択することができる。
【０００８】
本発明の端末装置は、前記構成において、現在の日時を計測する計測手段と、前記人物情報記憶手段に前記人物情報として記憶されている特定の日時から前記計測手段にて計測された現在の日時を減算した結果がしきい値以下である前記贈答相手を選択するイベント決定手段とを具備し、前記商品情報選択手段は、前記イベント決定手段にて選択された前記贈答相手の特徴と一致する特徴の受取人の前記受取人情報を含む前記商品情報が先頭になるように、前記受信手段にて受信した前記商品情報を並べる構成を採る。
【０００９】
この構成によれば、前記効果に加えて、イベントが近づいた場合にイベントが近づいた贈答相手に適した商品情報を先頭に表示するので、誕生日等のイベントにプレゼントすることを忘れてしまうことを防ぐことができる。
【００１０】
本発明の端末装置は、前記構成において、前記商品情報選択手段は、通信頻度がしきい値以上である前記贈答相手の前記商品情報が先頭になるように、前記受信手段にて受信した前記商品情報を並べる構成を採る。
【００１１】
この構成によれば、前記効果に加えて、人物情報として記憶されている人物等の内、通信頻度がしきい値以上である親密な関係にある人物等に適した商品情報を先頭に表示することにより、プレゼントするほど親密な関係にない人物等に適した商品情報は先頭に表示されないので、自分がプレゼントする意思のない人物等に適した商品情報が最初に目に付くことによる煩わしさをなくすることができる。
【００１２】
本発明の端末装置は、あらかじめ決められた贈答相手の特徴を示す情報である人物情報を記憶する人物情報記憶手段と、贈答品を受け取ると想定される受取人の特徴を示す情報である受取人情報と前記受取人情報を含む前記贈答品の情報である商品情報とを受信する受信手段と、前記贈答相手の特徴と前記受取人の特徴とが一致するか否かを判定するとともに一致する判定の結果が得られた場合には特徴が前記贈答相手と一致する受取人の前記受取人情報を含む前記商品情報を選択する商品情報選択手段と、特徴が一致する場合の前記判定の結果を含めて前記商品情報選択手段にて選択された前記商品情報を表示する表示手段と、を具備する構成を採る。
【００１３】
この構成によれば、特徴が贈答相手と一致する受取人の受取人情報を含む商品情報を、特徴が一致する判定結果とともに表示することにより、端末装置のユーザは表示された商品情報の判定結果を見て気に入った商品を贈答品として選択することができるので、贈答相手毎に贈答品として最も適切な商品を容易に選択することができる。
【００１４】
本発明の端末装置は、前記構成において、現在の日時を計測する計測手段と、前記人物情報記憶手段に前記人物情報として記憶されている特定の日時から前記計測手段にて計測された現在の日時を減算した結果がしきい値以下である前記贈答相手を選択するイベント決定手段とを具備し、前記表示手段は、前記イベント決定手段にて選択された前記贈答相手の特徴が前記受取人の特徴と一致する場合の前記判定の結果を含めて、前記商品情報選択手段にて選択された前記商品情報を表示する構成を採る。
【００１５】
この構成によれば、前記効果に加えて、イベントが近づいた場合にイベントが近づいた贈答相手に適した商品情報を、イベントが近づいた贈答相手の特徴と一致する判定結果とともに表示するので、誕生日等のイベントにプレゼントすることを忘れてしまうことを防ぐことができる。
【００１６】
本発明の端末装置は、前記構成において、前記表示手段は、通信頻度がしきい値以上である前記贈答相手の特徴が前記受取人の特徴と一致する場合の前記判定の結果を含めて、前記商品情報選択手段にて選択された前記商品情報を表示する構成を採る。
【００１７】
この構成によれば、前記効果に加えて、人物情報として記憶されている人物等の内、通信頻度がしきい値以上である親密な関係にある人物等に適した商品情報を、親密な関係にある人物の特徴と一致する判定結果とともに表示するので、自分がプレゼントする意思のない人物等に適した商品情報が最初に目に付くことによる煩わしさをなくすることができる。
【００１８】
本発明の端末装置は、前記構成において、前記商品情報選択手段にて選択された前記商品情報の前記贈答品における前記特定の日時より前の購入期限日を記憶するスケジュール記憶手段を具備し、前記表示手段は、前記スケジュール記憶手段にて記憶されている前記購入期限日を前記購入期限日まで表示する構成を採る。
【００１９】
この構成によれば、前記効果に加えて、選択された商品情報の商品の購入期限日がスケジュール記憶手段に記憶されるとともに、スケジュール記憶手段に記憶されている購入期限日を表示させることができるので、選択された商品情報が表示された場合に直ちに購入するか否かを判断する煩わしさを解消することができる。
【００２０】
本発明の配信サーバーは、前記に記載の端末装置に前記商品情報を送信する配信サーバーであって、前記配信サーバーは、前記受取人情報を含む前記商品情報を生成する商品情報生成手段と、前記商品情報生成手段にて生成された前記商品情報を送信する送信手段と、を具備する構成を採る。
【００２１】
この構成によれば、配信サーバー側にて贈答相手を考慮して商品情報を表示できるような処理を行う必要がないので、配信サーバーの負荷を軽減することができる。
【００２２】
本発明の受信データ表示方法は、あらかじめ決められた贈答相手の特徴を示す情報である人物情報を記憶するステップと、贈答品を受け取ると想定される受取人の特徴を示す情報である受取人情報と前記受取人情報を含む前記贈答品の情報である商品情報とを受信するステップと、特徴が前記贈答相手と一致する受取人の前記受取人情報を含む前記商品情報が先頭になるように受信した前記商品情報を並べるステップと、並べられた順番に前記商品情報を表示するステップと、を具備するようにした。
【００２３】
この方法によれば、特徴が贈答相手と一致する受取人の受取人情報を含む商品情報が先頭になるように商品情報を並べて表示することにより、端末装置のユーザは表示された商品情報を先頭から順番に見て気に入った商品を贈答品として選択することができるので、贈答相手毎に贈答品として最も適切な商品を容易に選択することができる。
【００２４】
本発明の受信データ表示方法は、前記方法において、現在の日時を計測するステップと、前記人物情報として記憶されている特定の日時から計測された現在の日時を減算した結果がしきい値以下である前記贈答相手を選択するステップとを具備し、選択された前記贈答相手の特徴と一致する特徴の受取人の前記受取人情報を含む前記商品情報が先頭になるように、受信した前記商品情報を並べるようにした。
【００２５】
この方法によれば、前記効果に加えて、イベントが近づいた場合にイベントが近づいた贈答相手に適した商品情報を先頭に表示するので、誕生日等のイベントにプレゼントすることを忘れてしまうことを防ぐことができる。
【００２６】
本発明の受信データ表示方法は、前記方法において、通信頻度がしきい値以上である前記贈答相手の前記商品情報が先頭になるように、受信した前記商品情報を並べるようにした。
【００２７】
この方法によれば、前記効果に加えて、人物情報として記憶されている人物等の内、通信頻度がしきい値以上である親密な関係にある人物等に適した商品情報を先頭に表示することにより、プレゼントするほど親密な関係にない人物等に適した商品情報は先頭に表示されないので、自分がプレゼントする意思のない人物等に適した商品情報が最初に目に付くことによる煩わしさをなくすることができる。
【００２８】
本発明の受信データ表示方法は、あらかじめ決められた贈答相手の特徴を示す情報である人物情報を記憶するステップと、贈答品を受け取ると想定される受取人の特徴を示す情報である受取人情報と前記受取人情報を含む前記贈答品の情報である商品情報とを受信するステップと、前記贈答相手の特徴と前記受取人の特徴とが一致するか否かを判定するとともに一致する判定の結果が得られた場合には特徴が前記贈答相手と一致する受取人の前記受取人情報を含む前記商品情報を選択するステップと、特徴が一致する場合の前記判定の結果を含めて選択された前記商品情報を表示するステップと、を具備するようにした。
【００２９】
この方法によれば、特徴が贈答相手と一致する受取人の受取人情報を含む商品情報を、特徴が一致する判定結果とともに表示することにより、端末装置のユーザは表示された商品情報の判定結果を見て気に入った商品を贈答品として選択することができるので、贈答相手毎に贈答品として最も適切な商品を容易に選択することができる。
【００３０】
本発明の受信データ表示方法は、前記方法において、現在の日時を計測するステップと、前記人物情報として記憶されている特定の日時から計測された現在の日時を減算した結果がしきい値以下である前記贈答相手を選択するステップとを具備し、選択された前記贈答相手の特徴が前記受取人の特徴と一致する場合の前記判定の結果を含めて、選択された前記商品情報を表示するようにした。
【００３１】
この方法によれば、前記効果に加えて、イベントが近づいた場合にイベントが近づいた贈答相手に適した商品情報を、イベントが近づいた贈答相手の特徴と一致する判定結果とともに表示するので、誕生日等のイベントにプレゼントすることを忘れてしまうことを防ぐことができる。
【００３２】
本発明の受信データ表示方法は、前記方法において、通信頻度がしきい値以上である前記贈答相手の特徴が前記受取人の特徴と一致する場合の前記判定の結果を含めて、選択された前記商品情報を表示するようにした。
【００３３】
この方法によれば、前記効果に加えて、人物情報として記憶されている人物等の内、通信頻度がしきい値以上である親密な関係にある人物等に適した商品情報を、親密な関係にある人物の特徴と一致する判定結果とともに表示するので、自分がプレゼントする意思のない人物等に適した商品情報が最初に目に付くことによる煩わしさをなくすることができる。
【００３４】
本発明の受信データ表示方法は、前記方法において、選択された前記商品情報の前記贈答品における前記特定の日時より前の購入期限日を記憶するステップを具備し、記憶されている前記購入期限日を前記購入期限日まで表示するようにした。
【００３５】
この方法によれば、前記効果に加えて、選択された商品情報の商品の購入期限日が記憶されるとともに、記憶されている購入期限日を表示させることができるので、選択された商品情報が表示された場合に直ちに購入するか否かを判断する煩わしさを解消することができる。
【発明の効果】
【００３６】
本発明によれば、贈答相手を考慮して商品の情報を表示することにより、贈答相手毎に贈答品として最も適切な商品を容易に選択することができる。
【発明を実施するための最良の形態】
【００３７】
本発明の骨子は、あらかじめ決められた贈答相手の特徴を示す情報である人物情報の贈答相手の特徴が、受信した商品の情報である商品情報に含まれる贈答品を受け取る想定される受取人の特徴を示す情報である受取人情報の受取人の特徴に該当する場合には、該当する受取人の特徴の受取人情報を含む商品情報が先頭になるように商品情報を並べて表示することである。また、贈答相手の特徴と受取人の特徴とが一致するか否かを判定するとともに、一致する判定の結果が得られた場合には、特徴が贈答相手と一致する受取人の受取人情報を含む商品情報を、特徴が一致する場合の判定の結果を含めて表示することである。
【００３８】
以下、本発明の実施の形態について、図面を参照して詳細に説明する。
【００３９】
（実施の形態１）
図１は、本発明の実施の形態１に係る端末装置１００の構成を示すブロック図である。
【００４０】
データ受信部１０２は、アンテナ１０１にて受信した受信信号を無線周波数からベースバンド周波数にダウンコンバートして商品情報受信部１０３へ出力する。
【００４１】
商品情報受信部１０３は、データ受信部１０２から入力した受信信号より、属性情報を含む商品情報を抽出して商品情報選択部１０５へ出力する。属性情報には、受取人情報、商品分野情報及び適切度情報が含まれている。ここで、商品情報とは贈答品としての商品の情報であり、受取人情報とは商品毎の贈答品を受け取るのに適しているものと想定される受取人の特徴を示す情報であり、適切度情報とは各商品における贈答品としての一般的な適切度の情報であり、商品分野情報とは商品の分野を示す情報である。
【００４２】
記憶部１０４は、端末装置１００のユーザが贈答相手としてあらかじめ決めている人物または会社等の贈答相手毎の特徴を示す情報である人物情報を記憶しており、商品情報受信部１０３から商品情報選択部１０５に商品情報が入力するタイミングにて、記憶している人物情報を商品情報選択部１０５へ出力する。ここで、人物情報は、性別、年齢、電話番号、住所、電子メールのアドレス、誕生日、記念日等のイベントの発生する特定日時及びこれらの組み合わせ等の情報である。
【００４３】
商品情報選択部１０５は、商品情報受信部１０３から入力した商品情報と記憶部１０４から入力した人物情報とに基づいて商品情報を選択する。例えば、商品情報選択部１０５は、人物情報の贈答相手の性別及び年齢と受取人情報の受取人の性別及び年齢とが一致するか否かを判定し、人物情報の贈答相手の性別及び年齢と一致する性別及び年齢の受取人の受取人情報を選択するとともに、選択した受取人情報を含む商品情報を選択する。そして、商品情報選択部１０５は、選択した商品情報を先頭に並べる処理、または選択した商品情報に対して、特徴が一致した場合の判定結果の情報を加える処理を行った後に商品情報をデータ表示部１０６へ出力する。
【００４４】
データ表示部１０６は、商品情報選択部１０５から入力した商品情報を並べられている順番にて表示する。なお、商品情報を表示する方法については後述する。
【００４５】
次に、配信サーバー２００の構成について、図２を用いて説明する。図２は、配信サーバー２００の構成を示すブロック図である。
【００４６】
属性データ入力部２０１は、外部から入力した商品毎の商品分野のデータ、贈答品としての商品毎の想定される受取人のデータ及び商品毎の贈答品としての一般的な適切度を示す適切度のデータを商品情報生成部２０３へ出力する。
【００４７】
商品データ入力部２０２は、外部から入力した贈答品としての商品のデータを商品情報生成部２０３へ出力する。
【００４８】
商品情報生成部２０３は、商品データ入力部２０２から入力した商品のデータと、属性データ入力部２０１から入力した商品分野のデータ、受取人のデータ及び適切度のデータとを用いて、贈答品としての各商品のデータに対応する商品分野のデータ、受取人のデータ及び適切度のデータを選択した後、各商品のデータに選択した商品分野のデータ、受取人のデータ及び適切度のデータを含めて商品情報を生成して商品情報送信部２０４へ出力する。商品分野のデータ、受取人のデータ及び適切度のデータを商品のデータに含めることにより、商品情報に属性情報としての商品分野情報、受取人情報及び適切度情報が含まれることとなる。
【００４９】
商品情報送信部２０４は、商品情報生成部２０３から入力した商品情報を送信信号として送信する。
【００５０】
次に、配信サーバー２００から送信された配信データとしての商品情報を端末装置１００が受信するまでについて、図３〜図５を用いて説明する。
【００５１】
図３より、配信サーバー２００は、ＸＭＬ形式のデータである商品情報をコアネットワーク３０１へ出力する。図４に示すように、各商品情報は＜ＩＴＥＭ＞と＜／ＩＴＥＭ＞とで囲まれた＜ＩＴＥＭ＞タグにて指定されており、任意の順序で整列している。また、各商品情報において、商品名は＜ＮＡＭＥ＞と＜／ＮＡＭＥ＞とで囲まれた＜ＮＡＭＥ＞タグにて指定されており、メーカー名は＜ＭＡＫＥＲ＞と＜／ＭＡＫＥＲ＞とで囲まれた＜ＭＡＫＥＲ＞タグにて指定されており、型番は＜ＴＹＰＥ＞と＜／ＴＹＰＥ＞とで囲まれた＜ＴＹＰＥ＞タグにて指定されており、販売価格は＜ＰＲＩＣＥ＞と＜／ＰＲＩＣＥ＞とで囲まれた＜ＰＲＩＣＥ＞タグにて指定されているとともに、ユーザが購入する場合の接続先は＜ＵＲＬ＞と＜／ＵＲＬ＞とで囲まれた＜ＵＲＬ＞タグにて指定されている。さらに、各商品情報において、属性情報は＜ＭＥＴＡ＞と＜／ＭＥＴＡ＞とで囲まれた＜ＭＥＴＡ＞タグにて指定されている。受取人情報は、例えば年齢及び性別の情報である。この場合、年齢は「ＡＧＥ」、性別は「ＳＥＸ」、商品分野は「ＧＥＮＲＥ」及び適切度は「ＰＲＥＳＥＮＴ」で表される。このような属性情報は、商品の販売業者が効率的な販売ができるようにするために、マーケティングの経験等に基づいて決める。なお、性別「ＳＥＸ」の指定がない属性情報は、男性及び女性の両方を対象にしているものとする。
【００５２】
図５は、各商品情報に含まれる属性情報を示す図である。図５より、例えば、商品「ノートパソコン」の商品情報＃４０１に含まれる属性情報＃４１０は、図５（ａ）に示すように、「年齢＝２０歳〜５０歳」の受取人情報＃５０１ａ、「商品分野＝電器」の商品分野情報＃５０２ａ及び「適切度＝１０％」の適切度情報＃５０３ａを含んでいる。また、商品「デジタルカメラ」の商品情報＃４０２に含まれる属性情報＃４１１は、図５（ｂ）に示すように、「年齢＝２０歳〜４０歳」と「性別＝男性」との受取人情報＃５０１ｂ、「商品分野＝電器」の商品分野情報＃５０２ｂ及び「適切度＝７０％」の適切度情報＃５０３ｂを含んでいる。商品「バラ」の商品情報＃４０３に含まれる属性情報＃４１２は、図５（ｃ）に示すように、「年齢＝２０歳〜５０歳」と「性別＝女性」との受取人情報＃５０１ｃ、「商品分野＝花」の商品分野情報＃５０２ｃ及び「適切度＝９０％」の適切度情報＃５０３ｃを含んでいる。商品「マッサージ器」の商品情報＃４０４に含まれる属性情報＃４１３は、図５（ｄ）に示すように、「年齢＝５０歳〜６０歳」の受取人情報＃５０１ｄ、「商品分野＝電器」の商品分野情報＃５０２ｄ及び「適切度＝７０％」の適切度情報＃５０３ｄを含んでいる。商品「プリンタ」の商品情報＃４０５に含まれる属性情報＃４１４は、図５（ｅ）に示すように、「年齢＝２０歳〜４０歳」と「性別＝男性」との受取人情報＃５０１ｅ、「商品分野＝電器」の商品分野情報＃５０２（ｅ）及び「適切度＝１０％」の適切度情報＃５０３（ｅ）を含んでいる。
【００５３】
配信サーバー２００から配信された図４に示す各商品情報は、コアネットワーク３０１を介して各ネットワーク制御装置３０２ａ、３０２ｂに到着する。各ネットワーク制御装置３０２ａ、３０２ｂは、複数の基地局装置に配信データを伝送することが可能であり、ネットワーク制御装置３０２ａはセル＃３１０の基地局装置３０３ａへ商品情報を伝送し、ネットワーク制御装置３０２ｂはセル＃３１１の基地局装置３０３ｂ、セル＃３１２の基地局装置３０３ｃ及びセル＃３１３の基地局装置３０３ｄへ商品情報を伝送する。そして、各基地局装置は、セル内にて通信を行っている端末装置１００へ商品情報を送信する。端末装置１００は、商品情報を受信して、受信した商品情報を適応的に変換して表示する。
【００５４】
次に、商品情報を受信した端末装置１００にて商品情報を表示する方法について、図６〜図１０を用いて説明する。図６は、記憶部１０４にて記憶している人物情報を示す図であり、図７は、商品情報選択部１０５より出力される商品情報を示す図であり、図８〜図１０は、端末装置１００に表示される商品情報を示す図である。
【００５５】
商品情報を受信した端末装置１００は、商品情報選択部１０５において、図６に示す人物情報における各贈答相手の特徴を示す情報と、図４に示す各商品情報に含まれる属性情報とを比較する。そして、商品情報選択部１０５は、属性情報に含まれる受取人情報の中に、人物情報の各贈答相手の特徴に該当するものがある場合には、該当する受取人情報を含む商品情報を選択する。そして、商品情報選択部１０５は、選択した商品情報が先頭になるように並べる処理、または選択した商品情報に対して贈答相手の特徴と受取人の特徴とが一致した場合の判定結果の情報を加える処理を行う。
【００５６】
例えば、図６より、贈答相手「花子」の人物情報＃６０１において、贈答相手「花子」の特徴である「年齢＝２３歳」が該当するのは、「年齢＝２０歳〜５０歳」の受取人情報＃５０１ａを含む属性情報＃４１０、「年齢＝２０歳〜４０歳」の受取人情報＃５０１ｂを含む属性情報＃４１１、「年齢＝２０歳〜５０歳」の受取人情報＃５０１ｃを含む属性情報＃４１２及び「年齢＝２０歳〜４０歳」の受取人情報＃５０１ｅを含む属性情報＃４１４である。また、属性情報＃４１０、＃４１１、＃４１２、＃４１４の内、贈答相手「花子」の人物情報＃６０１において、贈答相手「花子」の特徴である「性別＝女性」が該当するのは、「性別＝女性」の受取人情報５０１ａを含む属性情報＃４１０及び「性別＝女性」の受取人情報５０１ｃを含む属性情報＃４１２である。さらに、属性情報＃４１０に含まれる「適切度＝１０％」である適切度情報＃５０３ａと属性情報＃４１２に含まれる「適切度＝９０％」である適切度情報＃５０３ｃとを比較した結果、適切度情報＃５０３ｃの方が適切度情報＃５０３ａよりも適切度が大きいので、属性情報＃４１２が残ることとなる。したがって、商品情報選択部１０５は、属性情報＃４１２を含む商品情報＃４０３を選択する。
【００５７】
また、贈答相手「ドミニク」の人物情報＃６０２において、贈答相手「ドミニク」の特徴である「年齢＝５４歳」が該当するのは、「年齢＝５０歳〜６０歳」の受取人情報＃５０１ｄを含む属性情報＃４１３のみである。したがって、商品情報選択部１０５は、属性情報＃４１３を含む商品情報＃４０４を選択する。なお、図６の人物情報における「趣味・興味」は、属性情報の商品分野「ＧＥＮＲＥ」に該当するものがなかったため、商品情報を選択する際に用いなかったが、属性情報に「商品分野＝音楽」または「商品分野＝本」という商品分野があれば、人物情報における「趣味・興味」も用いて商品情報を選択する。
【００５８】
次に、商品情報選択部１０５は、端末装置１００に搭載されているブラウザで表示するために、ＸＳＬＴを用いて商品情報をＸＭＬ形式のデータからＨＴＭＬ形式のデータに変換する。そして、選択した商品情報を先頭に表示する場合には、図７に示すように、商品情報選択部１０５は、商品情報＃４０３から変換された商品情報＃７０１及び商品情報＃４０４から変換された商品情報＃７０２が先頭になるように並べる。一方、選択した商品情報を先頭に表示しない場合には、商品情報選択部１０５は、選択した商品情報＃４０３、＃４０４に対して贈答相手の特徴と受取人の特徴とが一致した場合の判定結果の情報を加えて受信した商品情報の順番のままにする。
【００５９】
次に、商品情報選択部１０５にて選択された商品情報を先頭に表示する場合、データ表示部１０６は、商品情報＃７０１を商品情報＃８０１として表示するとともに商品情報＃７０２を商品情報＃８０２として表示する。データ表示部１０６は、「花子さんにお勧め」の文字表示により、贈答相手「花子」へのプレゼントとしてバラを推奨し、バラの価格を付加情報として表示する。そして、端末装置１００のユーザがデータ表示部１０６に表示されている商品情報の下線が引かれている部分を選択（クリック）すると、バラを購入するための次のステップへ進むことができる。また、データ表示部１０６は、「ドミニクさんにお勧め」の文字表示により、贈答相手「ドミニク」へのプレゼントとしてマッサージ器を推奨し、マッサージ器の価格、メーカー及び型式を付加情報として表示する。そして、端末装置１００のユーザがデータ表示部１０６に表示されている商品情報の下線が引かれている部分を選択（クリック）すると、マッサージ器を購入するための次のステップへ進むことができる。
【００６０】
一方、商品情報に含まれる属性情報の属性の中に人物情報の属性を含むものがない場合には、図４及び図９に示すように、商品情報選択部１０５にてＸＭＬ形式のデータである商品情報＃４０１をＨＴＭＬ形式のデータに変換した後、商品情報＃９０１としてデータ表示部１０６に表示する。同様に、商品情報選択部１０５にてＸＭＬ形式のデータである商品情報＃４０２をＨＴＭＬ形式のデータに変換した後、商品情報＃９０２としてデータ表示部１０６に表示し、商品情報選択部１０５にてＸＭＬ形式のデータである商品情報＃４０３をＨＴＭＬ形式のデータに変換した後、商品情報＃９０３としてデータ表示部１０６に表示するとともに、商品情報選択部１０５にてＸＭＬ形式のデータである商品情報＃４０４をＨＴＭＬ形式のデータに変換した後、商品情報＃９０４としてデータ表示部１０６に表示する。
【００６１】
また、商品情報選択部１０５にて選択された商品情報を先頭に表示しない場合、即ち商品情報を受信した順序にて表示する場合、図１０に示すように、データ表示部１０６は、商品情報選択部１０５にて選択された商品情報＃４０３をＨＴＭＬ形式のデータに変換した後、商品情報＃１００１として表示するとともに、選択された商品情報＃４０４をＨＴＭＬ形式のデータに変換した後、商品情報＃１００２として表示する。この時、データ表示部１０６は、商品情報に商品情報選択部１０５にて選択されたことが分かる情報が加えられている場合には、商品情報＃１００１において「花子さん」に適したプレゼントである情報＃１００３を表示するとともに、商品情報＃１００２において「ドミニクさん」に適したプレゼントである情報＃１００４を表示する。なお、データ表示部１０６は、適切度情報の適切度が大きい商品情報ほどハートマークの数を増やして表示する。
【００６２】
このように、本実施の形態１によれば、商品情報に含まれる受取人情報の受取人の特徴の中に、人物情報における贈答相手の特徴において該当するものがある場合には、該当することを考慮して商品情報を表示することにより、端末装置の表示を見れば贈答相手毎に最適な贈答品が一目瞭然であるので、贈答相手毎に贈答品として最も適切な商品を容易に選択することができる。また、本実施の形態１によれば、配信サーバー側にて贈答相手を考慮して商品情報を表示できるような処理を行う必要がないので、配信サーバーの負荷を軽減することができる。
【００６３】
（実施の形態２）
図１１は、本発明の実施の形態２に係る端末装置１１００の構成を示すブロック図である。
【００６４】
本実施の形態２に係る端末装置１１００は、図１に示す実施の形態１に係る端末装置１００において、図１１に示すように、現在日時計測部１１０１及びイベント決定部１１０２を追加する。なお、図１１においては、図１と同一構成である部分には同一の符号を付してその説明は省略する。
【００６５】
現在日時計測部１１０１は、現在日時を計測し、計測した日時の情報である計測日時情報をイベント決定部１１０２へ出力する。
【００６６】
イベント決定部１１０２は、記憶部１０４から入力した人物情報における贈答相手の特徴を示す特定の日時から現在日時計測部１１０１から入力した計測日時情報の日時を減算する。そして、イベント決定部１１０２は、減算した結果がしきい値以下である場合にはイベントが近づいているものと判定し、近づいているイベントの情報と減算した結果がしきい値以下である贈答相手の人物情報とを商品情報選択部１０５へ出力する。一方、イベント決定部１１０２は、減算した結果がしきい値より大きい場合には何も出力しない。
【００６７】
商品情報選択部１０５は、イベント決定部１１０２からイベントの情報及び人物情報が入力した場合には、商品情報受信部１０３から入力した商品情報とイベント決定部１１０２から入力した人物情報とに基づいて商品情報を選択し、イベントの情報と選択した商品情報とを並べてデータ表示部１０６へ出力する。
【００６８】
次に、端末装置１１００の商品情報選択部１０５の動作について、図１２を用いて説明する。図１２は、商品情報選択部１０５の動作を説明するフロー図である。なお、端末装置１１００は、図４に示す商品情報を受信するとともに、記憶部１０４は図６に示す人物情報を記憶しているものとする。
【００６９】
最初に、商品情報選択部１０５は、人物一人分の人物情報を読み込む（ステップＳＴ１２０１）。
【００７０】
次に、商品情報選択部１０５は、各人物の人物情報の内の「誕生日」が現在の日時から所定日数以内であるイベントの情報が入力されたか否か、即ち各人物の「誕生日」の日付から計測日時情報の日付を減算した結果がしきい値以下であるイベントの情報が入力されたか否かを判定する（ステップＳＴ１２０２）。
【００７１】
各贈答相手の「誕生日」が現在の日時から所定日数以内であるイベントの情報が入力された場合には、商品情報選択部１０５は、商品情報に含まれる受取人情報の特徴の中に、「誕生日」が現在の日時から所定日数以内である贈答相手の人物情報における「誕生日」以外の特徴において、該当するものがあるか否かを判定し、該当する特徴の受取人情報がある場合には該当する受取人情報を含む商品情報を選択する（ステップＳＴ１２０３）。
【００７２】
例えば、現在の日時が９月１５日でしきい値を７日に設定した場合、９月１５日から７日後の９月２２日までに誕生日がくるのは贈答相手「花子」と贈答相手「ドミニク」であるため、贈答相手「花子」及び贈答相手「ドミニク」が選択される。そして、商品情報選択部１０５は、上記実施の形態１と同様の方法により、商品情報に含まれる受取人情報の特徴の中に、贈答相手「花子」の人物情報の「誕生日」以外の「性別＝女性」及び「年齢＝２３歳」の特徴において、該当するものがあるか否かを判定して商品情報を選択する。同様に、商品情報に含まれる受取人情報の特徴の中に、贈答相手「ドミニク」の人物情報の「誕生日」以外の「性別＝男性」及び「年齢＝５４歳」の特徴において、該当するものがあるか否かを判定して商品情報を選択する。即ち、属性情報＃４１２の受取人情報＃５０１ｃは「年齢＝２０歳〜５０歳」及び「性別＝女性」であるので、贈答相手「花子」の特徴である「性別＝女性」及び「年齢＝２３歳」が該当することとなり、商品情報選択部１０５は属性情報＃４１２を含む商品情報＃４０３を選択する。同様に、属性情報＃４１３の受取人情報＃５０１ｄは「年齢＝５０歳〜６０歳」及び「性別＝男性」であるので、贈答相手「ドミニク」の特徴である「性別＝男性」及び「年齢＝５４歳」が該当することとなり、商品情報選択部１０５は属性情報＃４１３を含む商品情報＃４０４を選択する。
【００７３】
一方、各贈答相手の特徴である「誕生日」が現在の日時から所定日数以内であるイベントの情報が入力されない場合には、商品情報選択部１０５は、商品情報を選択しない（ステップＳＴ１２０４）。
【００７４】
次に、商品情報選択部１０５は、全ての贈答相手としての人物について、人物情報の内の「誕生日」の日付から計測日時情報の日付を減算して減算の結果としきい値との比較が終了したか否か、即ち人物が残存しているか否かを判定する（ステップＳＴ１２０５）。
【００７５】
人物が残存している場合には、商品情報選択部１０５は、ステップＳＴ１２０１からステップＳＴ１２０４までの処理を繰り返す。
【００７６】
一方、人物が残存していない場合には、商品情報選択部１０５は処理を終了する。
【００７７】
図１３は、商品情報選択部１０５から出力されるＨＴＭＬ形式のデータに変換された商品情報を示す図であり、図１４は、データ表示部１０６にて商品情報を表示した状態を示す図である。
【００７８】
図１３より、ＨＴＭＬ形式のデータに変換された商品情報＃１３０１は、贈答相手「花子」の人物情報における特徴に基づいて選択した商品情報であるため、「花子さんへの誕生日プレゼントのお勧め。」というイベントの情報＃１３１０を含んでいる。同様に、ＨＴＭＬ形式のデータに変換された商品情報＃１３０２は、贈答相手「ドミニク」の人物情報における特徴に基づいて選択した商品情報であるため、「ドミニクさんへの誕生日プレゼントのお勧め。」というイベントの情報＃１３１１を含んでいる。
【００７９】
そして、図１４に示すように、イベントの情報＃１３１０を含む商品情報＃１３０１は、イベントの情報＃１４１０を含む商品情報＃１４０１としてデータ表示部１０６に表示される。同様に、イベントの情報＃１３１１を含む商品情報＃１３０２は、イベントの情報＃１４１１を含む商品情報＃１４０２としてデータ表示部１０６に表示される。なお、商品情報を並べる方法については、上記の実施の形態１と同一であるのでその説明は省略する。
【００８０】
このように、本実施の形態２によれば、上記実施の形態１の効果に加えて、各贈答相手の人物情報を用いてイベントが近づいているか否かを判定して、イベントが近づいている適切な時期に商品情報とイベントの情報とを先頭に表示するので、誕生日等のイベントにプレゼントすることを忘れてしまうことを確実に防ぐことができる。
【００８１】
なお、本実施の形態２において、誕生日が近づいている贈答相手に適した商品情報を先頭に表示することとしたが、これに限らず、上記実施の形態１と同様に誕生日が近づいている贈答相手に適した商品情報に対して、プレゼントとして適している旨の情報を表示するとともに、受信した商品情報の順番のまま商品情報を表示するようにしても良い。
【００８２】
（実施の形態３）
図１５は、本発明の実施の形態３に係る端末装置１５００の構成を示すブロック図である。なお、図１５においては、図１と同一構成である部分には同一の符号を付してその説明は省略する。また、配信サーバーの構成は図２と同一構成であるので、その説明は省略する。
【００８３】
商品情報選択部１０５は、商品情報受信部１０３から入力した商品情報、記憶部１０４から入力した人物情報、親密度情報及びしきい値の情報に基づいて商品情報を選択する。ここで、親密度情報とは、贈答相手との過去の通話の頻度の情報または贈答相手との間の過去の電子メールによる送受信の頻度の情報等である。例えば、商品情報選択部１０５は、通話の頻度がしきい値以上である人物情報における贈答相手の性別及び年齢と一致する性別及び年齢の受取人情報を選択するとともに、選択した受取人情報を含む商品情報を選択する。そして、商品情報選択部１０５は、選択した商品情報を先頭に並べて商品情報をデータ表示部１０６へ出力する。
【００８４】
このように、本実施の形態３によれば、上記実施の形態１の効果に加えて、人物情報として記憶されている人物または会社の内、親密な関係にある人物等に対して適した商品情報を先頭に表示することにより、プレゼントするほど親密な関係にない人物等に適した商品情報は先頭に表示されないので、自分がプレゼントする意思のない人物等に適した商品情報が最初に目に付くことによる煩わしさをなくすることができる。
【００８５】
なお、本実施の形態３において、選択した贈答相手に適した商品情報を先頭に表示することとしたが、これに限らず、上記実施の形態１と同様に選択した贈答相手に適した商品情報に対して、プレゼントとして適している旨の情報を表示するとともに、受信した商品情報の順番のまま商品情報を表示するようにしても良い。
【００８６】
（実施の形態４）
図１６は、本発明の実施の形態４に係る端末装置１６００の構成を示すブロック図である。
【００８７】
本実施の形態４に係る端末装置１６００は、図１に示す実施の形態１に係る端末装置１００において、図１６に示すように、スケジュール記憶部１６０１を追加する。なお、図１６においては、図１と同一構成である部分には同一の符号を付してその説明は省略する。
【００８８】
商品情報選択部１０５は、商品情報受信部１０３から入力した商品情報と記憶部１０４から入力した人物情報とに基づいて商品情報を選択する。例えば、商品情報選択部１０５は、人物情報の贈答相手の性別及び年齢と一致する性別及び年齢の受取人情報を選択するとともに、選択した受取人情報を含む商品情報を選択する。そして、商品情報選択部１０５は、選択した商品情報を先頭に並べてデータ表示部１０６へ出力する。また、商品情報選択部１０５は、選択した商品の情報、選択した商品を贈答する贈答相手の情報及び贈答相手の「誕生日」の情報からなる選択情報をスケジュール記憶部１６０１へ出力する。
【００８９】
スケジュール記憶部１６０１は、商品情報選択部１０５から入力した選択情報をスケジュール帳の情報であるスケジュール帳情報として記憶する。また、スケジュール記憶部１６０１は、端末装置１６００のユーザの操作により任意のタイミングにて制御信号が入力した場合には、記憶しているスケジュール帳情報をデータ表示部１０６へ出力する。
【００９０】
データ表示部１０６は、商品情報選択部１０５から入力した商品情報を並べられている順番にて表示する。また、データ表示部１０６は、スケジュール記憶部１６０１から入力したスケジュール帳情報のスケジュール帳を表示する。
【００９１】
図１７は、データ表示部１０６にてスケジュール帳情報のスケジュール帳が表示された状態を示す図である。選択情報における選択した商品の情報である「バラ」の情報、選択した商品を贈答する贈答相手の情報である「花子さん」の情報及び贈答相手の「誕生日」の情報である「９月１７日」の情報より、「花子さんへのプレゼント  バラ購入期限」の文字情報がスケジュール帳情報に書き込まれる。この時、花子さんの誕生日は９月１７日であるので、２日前の９月１５日に購入期限日として「花子さんへのプレゼント  バラ購入期限」の文字情報＃１７０２が書き込まれる。スケジュール記憶部１６０１に書き込まれた「花子さんへのプレゼント  バラ購入期限」の文字情報は、データ表示部１０６にて図１７に示すように表示される。そして、端末装置１６００のユーザが、「花子さんへのプレゼント  バラ購入期限」の表示部分を選択（クリック）することにより、購入画面に接続される。「花子さんへのプレゼント  バラ購入期限」の表示は、購入期限日である９月１５日まで表示され、９月１５日が経過した後には「花子さんへのプレゼント  バラ購入期限」の文字情報は抹消される。
【００９２】
このように、本実施の形態４によれば、上記実施の形態１の効果に加えて、選択された商品情報がアドレス帳情報に書き込まれるとともに、後日、アドレス帳情報を呼び出して選択された商品情報及び購入期限日を表示させることができるので、選択された商品情報が表示された場合に直ちに購入するか否かを判断する煩わしさを解消することができる。
【００９３】
なお、本実施の形態４において、選択した贈答相手に適した商品情報を先頭に表示することとしたが、これに限らず、上記実施の形態１と同様に選択した贈答相手に適した商品情報に対して、プレゼントとして適している旨の情報を表示するとともに、受信した商品情報の順番のまま商品情報を表示するようにしても良い。
【００９４】
（その他の実施の形態）
本実施の形態においては、図１０に示す端末装置と同一構成の端末装置を用いるとともに、図６に示す人物情報の「誕生日」を「クリスマス」に代えて全て同じ日時とする人物情報を用いるものである。なお、配信サーバーの構成は、図２と同一構成であるので、その説明は省略する。
【００９５】
しきい値を７日として１２月２０に商品情報を受信した場合には、７日後の１２月２７日までにはクリスマスがくるので、図１８に示すように、データ表示部１０６には、イベントの情報＃１８０１として「クリスマスプレゼントはいかが？」を先頭に表示し、商品情報＃１８０２及び商品情報＃１８０３をイベントの情報＃１８０１の次に表示する。
【００９６】
このように、本実施の形態によれば、上記実施の形態１の効果に加えて、クリスマス等の全ての贈答相手に共通のイベントが近づいているか否かを判定して、共通のイベントが近づいている場合には商品情報とともにイベントの情報も先頭に表示するので、クリスマス等の全ての贈答相手に共通のイベントにプレゼントすることを忘れてしまうことを防ぐことができる。
【００９７】
なお、上記実施の形態１〜実施の形態４及びその他の実施の形態において、人物情報における特定の日時として「誕生日」または「クリスマス」を用いることとしたが、これに限らず、結婚記念日等の任意のイベントの日時を用いることが可能である。また、上記実施の形態１〜実施の形態４及びその他の実施の形態において、複数の適切度情報の適切度を互いに比較して、適切度が大きな方の適切度情報を含む商品情報を先頭に表示することとしたが、これに限らず、適切度と比較するしきい値を設定して、適切度がしきい値以上である適切度情報を含む商品情報を先頭に表示するようにしても良い。また、上記実施の形態１〜実施の形態４及びその他の実施の形態において、商品情報をＸＭＬ形式のデータとしたが、これに限らず、任意の形式のデータにすることが可能である。また、上記実施の形態１〜実施の形態４及びその他の実施の形態において、表示用記述形式としてＨＴＭＬ言語を用いたが、これに限らず、任意の記述方式に従って記述することが可能である。また、上記実施の形態１〜実施の形態４及びその他の実施の形態において、ＸＭＬ記述のタグ名称として「ＩＴＥＭ」及び「ＭＥＴＡ」等を用いたが、これに限らず、任意のタグ名を付けることができる。また、上記実施の形態１〜実施の形態４及びその他の実施の形態において、「性別」、「年齢」、「商品分野」及び「適切度」以外の任意の項目を含む属性情報を用いることが可能である。
【産業上の利用可能性】
【００９８】
本発明にかかる端末装置及び受信データ表示方法は、贈答相手を考慮して商品の情報を表示することにより、贈答相手毎に贈答品として最も適切な商品を容易に選択する効果を有し、受信データを表示するのに有用である。
【図面の簡単な説明】
【００９９】
【図１】本発明の実施の形態１に係る端末装置の構成を示すブロック図
【図２】本発明の実施の形態１に係る配信サーバーの構成を示すブロック図
【図３】本発明の実施の形態１に係るネットワークを示す模式図
【図４】本発明の実施の形態１に係る商品情報を示す図
【図５】本発明の実施の形態１に係る属性情報を示す図
【図６】本発明の実施の形態１に係る人物情報を示す図
【図７】本発明の実施の形態１に係る商品情報を示す図
【図８】本発明の実施の形態１に係る商品情報を表示した状態を示す図
【図９】本発明の実施の形態１に係る商品情報を表示した状態を示す図
【図１０】本発明の実施の形態１に係る商品情報を表示した状態を示す図
【図１１】本発明の実施の形態２に係る端末装置の構成を示すブロック図
【図１２】本発明の実施の形態２に係る商品情報選択部の動作を示すフロー図
【図１３】本発明の実施の形態２に係る商品情報を示す図
【図１４】本発明の実施の形態２に係る商品情報を表示した状態を示す図
【図１５】本発明の実施の形態３に係る端末装置の構成を示すブロック図
【図１６】本発明の実施の形態４に係る端末装置の構成を示すブロック図
【図１７】本発明の実施の形態４に係るスケジュール帳情報を示す図
【図１８】本発明のその他の実施の形態に係る商品情報を表示した状態を示す図
【符号の説明】
【０１００】
１００  端末装置
１０２  データ受信部
１０３  商品情報受信部
１０４  記憶部
１０５  商品情報選択部
１０６  データ表示部
【図１】
2005222253.tif 000003
【図２】
2005222253.tif 000004
【図３】
2005222253.tif 000005
【図４】
2005222253.tif 000006
【図５】
2005222253.tif 000007
【図６】
2005222253.tif 000008
【図７】
2005222253.tif 000009
【図８】
2005222253.tif 000010
【図９】
2005222253.tif 000011
【図１０】
2005222253.tif 000012
【図１１】
2005222253.tif 000013
【図１２】
2005222253.tif 000014
【図１３】
2005222253.tif 000015
【図１４】
2005222253.tif 000016
【図１５】
2005222253.tif 000017
【図１６】
2005222253.tif 000018
【図１７】
2005222253.tif 000019
【図１８】
2005222253.tif 000020